(57)【要約】【課題】  リサイクル性を高める。【解決手段】  遊技盤ユニット１５は、遊技盤４、支持体２０及び遊技領域規制枠２１を備える。支持体２０の四隅に、形状記憶合金から構成される板状の形状記憶板２２を一体的に形成する。形状記憶板２２に、突出部貫通孔２２ａ、形状記憶係止片２２ｂを形成する。遊技領域規制枠２１の枠本体２５の裏面の四隅に、突出部３３を設ける。形状記憶板２２を製造する際には、変態温度以上の温度で、形状記憶係止片２２ｂを記憶形状に加工して記憶形状で記憶させる。そして、変態温度よりも低い温度で、形状記憶係止片２２ｂを係止形状に加工する。形状記憶板２２は、変態温度よりも低い温度環境では係止形状であり、変態温度以上の温度まで加熱されると、係止形状から記憶された記憶形状に変形する。これにより、支持体２０とガイドレール枠２１とを分離することができる。【選択図】        図１０
2005261747.tif 000002
【特許請求の範囲】
【請求項１】
遊技機を構成する第１構造体と第２構造体とを備え、前記第１構造体と前記第２構造体とが一体的に組み付けられる遊技機であって、
前記第１構造体は、当該第１構造体の外方に突出した突出部を有し、
前記第２構造体は、前記突出部が挿通される貫通孔と、前記貫通孔を挿通した前記突出部を引き抜き不能に係止する係止部とを有し、
前記係止部は、形状記憶合金から構成され、記憶された形状に復帰する復帰温度以上の温度において、前記貫通孔を挿通した前記突出部を引き抜き方向に移動可能にする形状に記憶されるとともに、前記復帰温度よりも低い温度において、前記突出部を前記貫通孔に挿通可能で且つ前記貫通孔を挿通した前記突出部を前記引き抜き方向に移動不能にする形状に加工されていることを特徴とする遊技機。
【請求項２】
前記突出部は、他の部分よりも外径が大きい大径部を備え、
前記係止部は、前記貫通孔の内方に突出する複数の板状部材を備え、前記複数の板状部材は、それぞれ前記復帰温度以上の温度において、前記引き抜き方向に折り曲げられた形状で記憶されるとともに、それぞれ前記復帰温度よりも低い温度において、前記突出部の挿通方向に、且つ前記貫通穴の径方向に対して鋭角に折り曲げられて前期突出部が挿通するときに前期大径部に当接するように加工されていることを特徴とする請求項１記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
現在、遊技場に設置されるパチンコ機は、本体枠、支持枠、遊技盤ユニット等の複数の構造体を備えており、本体枠に支持枠を係止し、この支持枠に遊技盤ユニットを係止している。遊技盤ユニットは、遊技盤と、ガイドレール枠と、図柄可変表示装置や制御回路基板が組み付けられた支持体とを備え、ガイドレール枠には鏃状の突出部が、遊技盤には貫通孔が、支持体には貫通孔と係止部とがそれぞれ形成されている。ガイドレール枠の突出部を、遊技盤の貫通孔、支持体の貫通孔の順に挿通すると、ガイドレール枠の突出部が支持体の係止部により係止される。これにより、ガイドレール枠は、遊技盤を挟持した状態で支持体に係止される。また、遊技盤の遊技領域には、各種入賞口や役物などが設けられており、これら各種入賞口や役物に形成された鏃状の突出部を、遊技盤に形成された貫通孔に挿通すると、各種入賞口や役物の突出部が遊技盤に形成された係止部により係止され、各種入賞口や役物は遊技盤に係止される。近年では、パチンコ機の機種変更を行う場合に、本体枠、支持枠、ガイドレール枠、支持体等を複数の機種で共通部品として使用し、遊技盤を新たなものに交換することでパチンコ機の機種交換を行うことがあり、この場合には、ガイドレール枠と支持体との係止を解除して遊技盤を遊技盤ユニットから取り外し、新たな遊技盤を遊技盤ユニットに組み付ける。
【発明の開示】
【発明が解決しようとする課題】
【０００３】
しかしながら、ガイドレール枠と支持体とは、ガイドレール枠の突出部を、遊技盤の貫通孔、支持体の貫通孔の順に挿通し、支持体の係止部によりガイドレール枠の突出部を係止することで、遊技盤を挟持した状態で係止されており、遊技盤を新たなものに交換するためには、ガイドレール枠と支持体との係止を解除する必要があり、ガイドレール枠の突出部、または、支持体の係止部を壊してガイドレール枠と支持体との係止を解除していた。突出部が壊されたガイドレール枠、または、係止部が壊された支持体は、共通部品として再度遊技機に使用することができなくなるため、新たなものに交換する必要があり、リサイクル性が悪いという問題があった。
【０００４】
本発明は、上記従来技術の問題を解決するためになされたものであり、リサイクル性を高めることができる遊技機を提供することを目的とする。
【課題を解決するための手段】
【０００５】
上記目的を達成するために、本発明の遊技機は、遊技機を構成する第１構造体と第２構造体とを備え、前記第１構造体と前記第２構造体とが一体的に組み付けられる遊技機であって、前記第１構造体は、当該第１構造体の外方に突出した突出部を有し、前記第２構造体は、前記突出部が挿通される貫通孔と、前記貫通孔を挿通した前記突出部を引き抜き不能に係止する係止部とを有し、前記係止部は、形状記憶合金から構成され、記憶された形状に復帰する復帰温度以上の温度において、前記貫通孔を挿通した前記突出部を引き抜き方向に移動可能にする形状に記憶されるとともに、前記復帰温度よりも低い温度において、前記突出部を前記貫通孔に挿通可能で且つ前記貫通孔を挿通した前記突出部を前記引き抜き方向に移動不能にする形状に加工されていることを特徴とする。
【０００６】
なお、前記突出部は、他の部分よりも外径が大きい大径部を備え、前記係止部は、前記貫通孔の内方に突出する複数の板状部材を備え、前記複数の板状部材は、それぞれ前記復帰温度以上の温度において、前記引き抜き方向に折り曲げられた形状で記憶されるとともに、それぞれ前記復帰温度よりも低い温度において、前記突出部の挿通方向に、且つ前記貫通穴の径方向に対して鋭角に折り曲げられて前期突出部が挿通するときに前期大径部に当接するように加工されていることが好ましい。
【発明の効果】
【０００７】
本発明の遊技機によれば、遊技機を構成する第１構造体と第２構造体とを備え、第１構造体と第２構造体とが一体的に組み付けられ、第１構造体は、当該第１構造体の外方に突出した突出部を有し、第２構造体は、突出部が挿通される貫通孔と、貫通孔を挿通した突出部を引き抜き不能に係止する係止部とを有し、係止部は、形状記憶合金から構成され、記憶された形状に復帰する復帰温度以上の温度において、貫通孔を挿通した突出部を引き抜き方向に移動可能にする形状に記憶されるとともに、復帰温度よりも低い温度において、突出部を貫通孔に挿通可能で且つ貫通孔を挿通した突出部を引き抜き方向に移動不能にする形状に加工されているから、係止部を復帰温度以上の温度に加熱するだけで、係止部を貫通孔を挿通した突出部を引き抜き方向に移動可能にする形状に復帰させることができるため、係止部と突出部とを壊すことなく、一体的に組み付けられた第１構造体と第２構造体とを分離することができ、さらには、第１構造体と第２構造体とを分離した後に、復帰温度よりも低い温度において、係止部を、突出部を貫通孔に挿通可能で且つ貫通孔を挿通した突出部を引き抜き方向に移動不能にする形状に加工すると、再度第１構造体と第２構造体とを一体的に組み付けることができるため、突出部を有する第１構造体、係止部を有する第２構造体を再利用することができ、第１構造体、第２構造体のリサイクル性を高めることができる。
【０００８】
また、突出部は、他の部分よりも外径が大きい大径部を備え、係止部は、貫通孔の内方に突出する複数の板状部材を備え、複数の板状部材は、それぞれ復帰温度以上の温度において、引き抜き方向に折り曲げられた形状で記憶されるとともに、それぞれ復帰温度よりも低い温度において、突出部の挿通方向に、且つ貫通穴の径方向に対して鋭角に折り曲げられて突出部が挿通するときに大径部に当接するように加工されているから、複数の板状部材を復帰温度以上の温度に加熱するだけで、複数の板状部材を引き抜き方向に折り曲げられた形状に復帰させることができるため、複数の板状部材と突出部とを壊すことなく、一体的に組み付けられた第１構造体と第２構造体とを分離することができ、より一層容易に、複数の板状部材を備える係止部と、突出部とを壊すことなく、一体的に組み付けられた第１構造体と第２構造体とを分離することができる。さらに、第１構造体と第２構造体とを分離した後に、復帰温度よりも低い温度において、複数の板状部材を、突出部の挿通方向に、且つ貫通穴の径方向に対して鋭角に折り曲げられて突出部が挿通するときに大径部に当接するように加工すると、再度第１構造体と第２構造体とを一体的に組み付けることができるため、突出部を有する第１構造体、複数の板状部材を備える係止部を有する第２構造体を再利用することができ、より一層容易に、第１構造体、第２構造体のリサイクル性を高めることができる。
【発明を実施するための最良の形態】
【０００９】
図１に示すように、遊技機の１実施例であるパチンコ機２は、本体枠３の内部に遊技盤４が配設されており、本体枠３の前面には前面扉５が開閉自在に取り付けられている。前面扉５の下方には、打球供給用の供給皿６及びパチンコ球７の打ち出し強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の周りには、始動入賞口１０、通常入賞口１１、アタッカ１２、アウト口１３が設けられており、始動入賞口１０、通常入賞口１１、アタッカ１２は、遊技盤４に一体的に組み付けられている。また、遊技盤４の略中央には、センター役物１４が一体的に組み付けられており、センター役物１４に形成された開口１４ａを介して、後述する支持体２０に組み付けられた図柄可変表示装置９を視認することができる。遊技者は、供給皿６にパチンコ球７を投入してパチンコ球７を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で各入賞口１０〜１２のいずれかに入るか、あるいはアウト口１３から回収される。なお、パチンコ機２の遊技領域４ａに設けられている複数の釘、風車などの構造物は公知であるので説明は省略する。
【００１０】
図２に示すように、前面扉５は、本体枠３の前面に開閉自在に取り付けられている。前面扉５の内側には、可視可能なガラス１５が取り付けられている。なお、前面扉５が閉じているロック状態であるときには、遊技者や遊技場の作業者は、ガラス１５を通して遊技盤４の遊技領域４ａを流下していくパチンコ球７を見ることはできるが、遊技盤４にはもちろんのこと本体枠３の内部にも触れることができないようになっている。
【００１１】
図３に示すように、前面扉５は、遊技盤４を備えた遊技盤ユニット１６を支持する支持枠１７に開閉自在に取り付けられている。遊技盤ユニット１６は、支持枠１７の遊技盤ユニット係止部１７ａに交換可能で且つ一体的に組み付けられており、支持枠１７は本体枠３の支持枠係止部３ａに交換可能に係止されている。支持枠係止部３ａの右側端部の上側端部及び下側端部には、支持枠１７を係止するための支持枠係止部材１８が設けられている。支持枠１７の遊技盤ユニット係止部１７ａの右側端部の上側端部及び下側端部には、遊技盤ユニット１６を係止するための遊技盤ユニット係止部材１９が設けられており、さらに、支持枠１７の前面の右側端部の上側端部及び下側端部には、固定部材取付孔１７ｂが形成されている。なお、支持枠係止部材１８と遊技盤ユニット係止部材１９とには、それぞれ回動可能な係止部１８ａ，１９ａが軸支されている。
【００１２】
支持枠係止部材１８及び遊技盤ユニット係止部材１９は同じ構造の部材により構成されているため、本体枠３に支持枠１７を係止するための支持枠係止部材１８のみを例に説明し、遊技盤ユニット係止部材１９の説明は簡略化する。図４に示すように、固定部材取付孔１７ｂは、支持枠係止部材１８が挿通可能な大きさで、支持枠係止部材１８の係止部１８ａと係止可能となるように形成されている。係止部１８ａは、支持枠係止部材１８に回転自在に軸支されており、支持枠１７が取り付けられていない状態では、係止部１８ａは長手方向が垂直に向けられた取り外し位置にセットされている。支持枠１７が本体枠３の支持枠取付部３ａに取り付けられると、支持枠係止部材１８が固定部材取付孔１７ｂに挿通され、係止部１８ａが回転自在となるように固定部材取付孔１７ｂから突出する。
【００１３】
図５に示すように、係止部１８ａが固定部材取付孔１７ｂから突出した状態でその長手方向が水平となるように９０度回転されると、支持枠係止部材１８は固定位置にセットされる。固定位置への回動によって、係止部１８ａが固定部材取付孔１７ｂから挿脱不能となり、支持枠１７を係止する。これにより、支持枠１７が本体枠３に係止され、本体枠３と支持枠１７とが一体的に組み付けられた状態となる。
【００１４】
図６に示すように、遊技盤ユニット１６は、遊技盤４、支持体（第２構造体）２０及びガイドレール枠（第１構造体）２１を備え、支持体２０とガイドレール枠２１とは、詳しくは後述するように、遊技盤４を挟持した状態で係止されている。遊技盤４の右側端部の上側端部及び下側端部には、遊技盤ユニット係止部材１９（図３参照）を挿通するための固定部材挿通孔４ｂが形成されている。遊技盤４の四隅には、後述するガイドレール枠２１の突出部３３を挿通するための突出部貫通孔４ｃが形成されている。
【００１５】
支持体（第２構造体）２０は略板状に形成されており、支持体２０の前面には複数のリブ２０ａが設けられ、これらリブ２０ａにより球通路２０ｂが形成される。遊技を行った際に各入賞口１０〜１２及びアウト口１３に入ったパチンコ球７は、リブ２０ａにより形成された球通路２０ｂを通過して所定の受け部に誘導される。支持体２０の四隅には、形状記憶合金から構成される板状の形状記憶板（係止部）２２が一体的に形成されており、この形状記憶板２２には、後述するガイドレール枠２１の突出部３３を挿通するための突出部貫通孔（貫通孔）２２ａと、突出部３３に当接してこの突出部３３を係止するための板状の形状記憶係止片（板状部材）２２ｂとが形成されている。形状記憶係止片２２ｂは、突出部貫通孔２２ａの内側の位置に９０°のピッチで４個形成されている（図７（Ａ）参照）。支持体２０の後面側には、図柄可変表示装置９、主制御回路装置及び副制御回路装置などが組み付けられている。主制御回路装置及び副制御回路装置は、球発射装置、賞球払い出し装置、電源回路、ランプ、スピーカー、図柄可変表示装置９等の各種装置の駆動を制御する。主制御回路装置及び副制御回路装置は、基板収納ケースに収納され、基板収納ケースには、主制御回路装置及び副制御回路装置を不正に操作されないための不正防止蓋が一体的に組み付けられている。
【００１６】
ガイドレール枠（第１構造体）２１は、板状に形成され前面の外周にリブが形成された枠本体２５に、外レール２６、第１内レール２７、第２内レール２８が取り付けられた構成となっている。枠本体２５、外レール２６、第１内レール２７及び第２内レール２８は例えばポリアセタール等の摺動性、耐摩耗性に優れた樹脂材から形成されている。なお、外レール２６と第１内レール２７との間は、打ち出されたパチンコ球７を遊技領域４ａに向けて誘導するためのガイド部２５ａとなる。また、枠本体２５の中央には、遊技におけるパチンコ球７の移動を規制（形成）するための開口２５ｂが形成され、その下方に各入賞口１０〜１２のいずれにも入賞しなかったパチンコ球７を所定の受け部に導くためのアウト口３１の前面装飾３１ａが形成されている。なお、外レール２６、第１内レール２７及び第２内レール２８は、それぞれ図示しないビス等により枠本体２５に組み付け固定される。枠本体２５の裏面の四隅には、遊技盤４の突出部貫通孔４ｃ、形状記憶板２２の突出部貫通孔２２ａの順に挿通して、遊技盤４を挟持した状態でガイドレール枠２１を支持体２０に係止するための凸状の突出部３３が設けられている。突出部３３は、略円柱状であり、中心部が両端部よりも径が大きく膨らんだ形状で形成された挿通部（大径部）３３ａと、挿通部３３ａの後端面に一体的に形成された円柱状の軸部３３ｂとから構成され、挿通部３３ａは、その外径が軸部３３ｂの外径よりも大きく形成されている。枠本体２５の右側端部の上側端部及び下側端部には、遊技盤ユニット係止部材１９の係止部１９ａを挿通するための固定部材取付孔２５ｃが形成されている。なお、突出部３３の形状は、略円柱状に限定されることなく、四角柱状など適宜の形状に変更してもよい。
【００１７】
図７（Ａ）は、形状記憶板２２を示す正面図であり、図７（Ｂ）は、形状記憶板２２を示す右側面断面図である。図７（Ａ）に示すように、形状記憶係止片（板状部材）２２ｂは、突出部貫通孔２２ａの内側の位置に互いに対向するように９０°のピッチで４個形成され、弾性変形可能な形状で形成されている。4 個の形状記憶係止片２２ｂは、先端が円周の一部を構成する円弧状に形成されており、先端同士を結ぶと円ＴＣが形成されるようになっている。図７（Ｂ）に示すように、４個の形状記憶係止片２２ｂは、突出部貫通孔２２ａよりも突出部挿通方向（挿通方向）Ａ側に折り曲げられるとともに、突出部貫通孔２２ａの径方向に対して鋭角に折り曲げられて挿通部３３ａが挿通するときに挿通部３３ａに当接する（図９（Ｂ）参照）ような係止形状に加工されており、４個の形状記憶係止片２２ｂの先端同士を結んで形成される円ＴＣ（図７（Ａ）参照）の面積が、突出部３３の挿通部３３ａの後端面の面積よりも小さくなるようにされている。これにより、挿通部３３ａを突出部貫通孔２２ａに挿通することが可能になっている。なお、４個の形状記憶係止片２２ｂのうちの互いに対向する２個の形状記憶係止片２２ｂの先端同士の距離は、挿通部３３ａの最大径よりも小さければよく、すなわち、４個の形状記憶係止片２２ｂの先端同士を結んで形成される円ＴＣ（図７（Ａ）参照）の面積は、挿通部３３ａの最大径部分の面積よりも小さければよい。
【００１８】
形状記憶板２２を製造する際には、使用される形状記憶合金の種類に応じて異なる記憶された形状に変形（変態）する変態温度（復帰温度）以上の温度で、図８に示すように、形状記憶係止片２２ｂを突出部貫通孔２２ａよりも突出部引抜方向（引き抜き方向）Ｂ側に折り曲げ加工した記憶形状に加工する。これにより、形状記憶係止片２２ｂは、記憶形状で記憶された状態となる。なお、図８（Ａ）は、右側面断面図であり、図８（Ｂ）は、斜視図である。そして、変態温度よりも低い温度で、形状記憶係止片２２ｂを突出部貫通孔２２ａよりも突出部挿通方向Ａ側に折り曲げ加工した係止形状（図７（Ｂ）参照）に加工する。形状記憶板２２は、形状記憶合金としての特性により、通常時（変態温度よりも温度が低い温度環境）では係止形状であり、例えば、ドライヤなどで変態温度（復帰温度）以上の温度まで加熱された場合には、係止形状から記憶された記憶形状に変形（復帰）する。すなわち、形状記憶板２２の形状記憶係止片２２ｂは、変態温度以上になると、記憶形状へと変形するものである。なお、パチンコ機２の内部には、電源回路や各種装置などが組み付けられており、主電源をオンして電気回路や各種装置を駆動した際には、これらから発せられる熱により、パチンコ機２の内部の温度が外気の温度よりも高くなる。そのため、形状記憶板２２を構成する形状記憶合金としては、可焼性を有し、形状記憶係止片２２ｂが係止形状から記憶された記憶形状に変形する変態温度が、パチンコ機２の主電源をオンし、上記した電気回路や各種装置を駆動しているときに到達するパチンコ機２内部の最高温度よりも高い温度であるものが用いられる。
【００１９】
遊技盤ユニット１６を組み立てる場合には、記憶形状（図８参照）で形状が記憶され、変態温度よりも低い温度で係止形状（図７（Ｂ）参照）に加工した形状記憶係止片２２ｂを備えた形状記憶板２２を、支持体２０の四隅にそれぞれ一体的に形成する。そして、図９（Ａ）に示すように、遊技盤４の突出部貫通孔４ｃと形状記憶板２２の突出部貫通孔２２ａとを位置合わせし、図９（Ｂ）に示すように、ガイドレール枠２１の突出部３３を突出部挿通方向Ａに移動して突出部貫通孔４ｃ、突出部貫通孔２２ａの順に挿通し、挿通部３３ａの先端面を形状記憶板２２の形状記憶係止片２２ｂに当接させる。４個の形状記憶係止片２２ｂは、突出部貫通孔２２ａよりも突出部挿通方向Ａ側に折り曲げられるとともに、４個の形状記憶係止片２２ｂの先端同士を結んで形成される円ＴＣ（図７（Ａ）参照）の面積が、突出部３３の挿通部３３ａの後端面の面積よりも小さくなるように折り曲げられた係止形状に加工されており、突出部３３を突出部挿通方向Ａに移動すると、４個の形状記憶係止片２２ｂは、外側方向に押し広げられて４個の形状記憶係止片２２ｂの先端同士を結んで形成される円ＴＣの面積が、突出部３３の挿通部３３ａの後端面の面積よりも大きくなり、挿通部３３ａが挿通可能になり、挿通部３３ａが挿通された後に形状記憶係止片２２ｂが弾性変形して係止形状に戻り、図９（Ｃ）に示すように、挿通部３３ａが形状記憶係止片２２ｂに係止され、突出部３３は、突出部引抜方向（引き抜き方向）Ｂに移動不能な状態となる。これにより、ガイドレール枠２１は、支持体２０に係止されて支持体２０から抜けなくなり、支持体２０とガイドレール枠２１とは一体的に組み付けられた状態となる。
【００２０】
上記のように構成されたパチンコ機２の作用について説明する。パチンコ機２の機種交換を行う際に、遊技盤４を新たなものに交換する場合には、支持体２０とガイドレール枠２１との係止を解除して、一体的に組み付けられた支持体２０とガイドレール枠２１とを分離する必要がある。支持体２０とガイドレール枠２１との係止を解除する場合には、先ず、ドライヤで形状記憶板２２の形状記憶係止片２２ｂを加熱する。形状記憶係止片２２ｂは、変態温度以上の温度まで加熱されると、図１０（Ａ）に示すように、係止形状（図７及び図９参照）から記憶された記憶形状に変形する。この状態で、図１０（Ｂ）に示すように、ガイドレール枠２１の突出部３３を突出部引抜方向Ｂに移動して、挿通部３３ａの後端面を形状記憶係止片２２ｂに当接させる。形状記憶係止片２２ｂは、突出部貫通孔２２ａよりも突出部引抜方向Ｂ側に折り曲げ加工された記憶形状に変形されており、突出部３３を突出部引抜方向Ｂに移動すると、４個の形状記憶係止片２２ｂは、外側方向に押し広げられて４個の形状記憶係止片２２ｂの先端同士を結んで形成される円ＴＣの面積が、突出部３３の挿通部３３ａの後端面の面積よりも大きくなり、挿通部３３ａが引き抜き可能になり、挿通部３３ａが引き抜かれた後に形状記憶係止片２２ｂが弾性変形して記憶形状に戻り、図１０（Ｃ）に示すように、形状記憶係止片２２ｂによる挿通部３３ａの係止が解除される。これにより、支持体２０とガイドレール枠２１との係止が解除されて、支持体２０とガイドレール枠２１とが分離し、遊技盤４を取り外すことができる。さらに、形状記憶係止片２２ｂへのドライヤによる加熱を止め、変態温度よりも低い温度になった後で、形状記憶係止片２２ｂを係止形状（図７及び図９参照）に加工すると、再度、ガイドレール枠２１を支持体２０に係止することができるようになる。
【００２１】
このように、遊技盤ユニット１６を組み立てる場合には、突出部貫通孔２２ａよりも突出部引抜方向Ｂ側に折り曲げ加工した記憶形状で形状が記憶され、変態温度よりも低い温度で突出部貫通孔２２ａよりも突出部挿通方向Ａ側に折り曲げ加工した係止形状に加工した形状記憶係止片２２ｂを備えた形状記憶板２２を、支持体２０の四隅それぞれに一体的に形成し、形状記憶係止片２２ｂで突出部３３の挿通部３３ａを係止することにより、遊技盤４を挟持した状態でガイドレール枠２１を支持体２０に係止して、支持体２０とガイドレール枠２１とを一体的に組み付け、遊技盤４を新たなものに交換するために支持体２０とガイドレール枠２１との係止を解除する場合には、ドライヤで形状記憶係止片２２ｂを変態温度以上の温度まで加熱し、形状記憶係止片２２ｂを記憶形状に変形させ、形状記憶係止片２２ｂによる挿通部３３ａの係止を解除させて、支持体２０とガイドレール枠２１との係止を解除するから、ドライヤで形状記憶係止片２２ｂを変態温度以上の温度まで加熱するだけで、容易に支持体２０とガイドレール枠２１との係止を解除することができる。また、ドライヤで形状記憶係止片２２ｂを変態温度以上の温度まで加熱するだけで、形状記憶係止片２２ｂ及び突出部３３を壊すことなく、支持体２０とガイドレール枠２１との係止を解除することができ、形状記憶係止片２２ｂへのドライヤによる加熱を止め、変態温度よりも低い温度になった後で、形状記憶係止片２２ｂを係止形状に加工すると、再度、ガイドレール枠２１を支持体２０に係止することができるようになるから、形状記憶係止片２２ｂが設けられた形状記憶板２２、形状記憶板２２が一体的に形成された支持体２０、突出部３３が設けられたガイドレール枠２１を再度利用することができるため、支持体２０、ガイドレール枠２１のリサイクル性を高めることができる。
【００２２】
なお、上記実施形態では、支持体２０の四隅に、形状記憶合金から構成される形状記憶板２２を一体的に形成し、この形状記憶板２２に、突出部貫通孔２２ａ、形状記憶係止片２２ｂを形成したが、これに限定されることなく、支持体２０を形状記憶合金から構成し、支持体２０に、突出部貫通孔、形状記憶係止片を形成するようにしてもよく、適宜変更されるものである。
【００２３】
また、上記実施形態では、支持体２０とガイドレール枠２１との一体的な組み付けに、本発明を用いたが、これに限定されることなく、一体的に組み付けられる第１構造体と第２構造体との組み付けであれば用いることができ、例えば、本体枠３と支持枠１７との組み付けや、遊技盤ユニット１６と支持枠１７との組み付けや、遊技盤４とセンター役物１４との組み付けや、基板収納ケースと不正防止蓋との組み付けなどに用いることができ、適宜変更されるものである。
【００２４】
さらに、上記実施形態では、形状記憶係止片２２ｂを、互いに対向するように９０°のピッチで４個形成したが、これに限定されることなく、突出部貫通孔２２ａを挿通した突出部３３の挿通部３３ａを突出部引抜方向（引き抜き方向）Ｂに移動不能にすることができればよく、例えば、形状記憶係止片２２ｂを、１２０°のピッチで３個または６０°のピッチで６個形成してもよく、形状記憶係止片２２ｂの個数は適宜変更されるものである。
【００２５】
また、上記実施形態では、形状記憶係止片２２ｂを、突出部貫通孔２２ａの内側の位置に互いに対向するように９０°のピッチで４個形成し、先端を円周の一部を構成する円弧状に形成するとともに、突出部貫通孔２２ａよりも突出部挿通方向Ａ側に、且つ突出部貫通孔２２ａの径方向に対して鋭角に折り曲げられて挿通部３３ａが挿通するときに挿通部３３ａに当接するように加工し、４個の形状記憶係止片２２ｂの先端同士を結んで形成される円ＴＣの面積が、挿通部３３ａの後端面の面積よりも小さくなるようにしたが、これに限定されることなく、形状記憶係止片２２ｂは、突出部貫通孔２２ａを挿通した突出部３３の挿通部３３ａを突出部引抜方向（引き抜き方向）Ｂに移動不能にすることができればよく、４個の形状記憶係止片２２ｂを、その先端を直線状に形成するとともに、突出部貫通孔２２ａの径方向に対して鋭角に折り曲げられて挿通部３３ａが挿通するときに挿通部３３ａに当接するように加工してもよい。
【図面の簡単な説明】
【００２６】
【図１】本発明を実施したパチンコ機の外観を示す斜視図である。
【図２】前面扉を開けた状態のパチンコ機を示す斜視図である。
【図３】本体枠と支持枠と前面扉と遊技盤ユニットとを示す分解斜視図である。
【図４】支持枠固定部材が取り付け位置にセットされた状態を示す正面図である。
【図５】支持枠固定部材が固定位置にセットされた状態を示す正面図である。
【図６】ガイドレール枠と遊技盤と支持体とを示す分解斜視図である。
【図７】形状記憶係止片が係止形状に加工された形状記憶板を示す正面図と右側面断面図である。
【図８】形状記憶係止片が記憶形状に加工された形状記憶板を示す斜視図と右側面断面図である。
【図９】ガイドレール枠を支持体に係止する際の突出部と遊技盤と形状記憶板とを示す右側面断面図である。
【図１０】ガイドレール枠と支持体との係止を解除する際の突出部と遊技盤と形状記憶板とを示す右側面断面図である。
【符号の説明】
【００２７】
２  パチンコ機（遊技機）
３  本体枠
４  遊技盤
５  前面扉
１６  遊技盤ユニット
１７  支持枠
２０  支持体（第２構造体）
２２  形状記憶板（係止部）
２１  ガイドレール枠（第１構造体）
２２ａ  突出部貫通孔（貫通孔）
２２ｂ  形状記憶係止片（板状部材）
２５  枠本体
３３  突出部
３３ａ  挿通部（大径部）
３３ｂ  軸部
【図１】
2005261747.tif 000003
【図２】
2005261747.tif 000004
【図３】
2005261747.tif 000005
【図４】
2005261747.tif 000006
【図５】
2005261747.tif 000007
【図６】
2005261747.tif 000008
【図７】
2005261747.tif 000009
【図８】
2005261747.tif 000010
【図９】
2005261747.tif 000011
【図１０】
2005261747.tif 000012